(57)【要約】【課題】建築物の開口に設けられるサッシ枠のアングル部に取替え可能に取付けることにより、サッシ枠のアングル部と床仕上げ材との隙間を埋めると共に、アングル部の室内側端部に形成された突出縁による段差を簡単な施工方法で解消するようにしたサッシ見切材を提供する。【解決手段】建物の開口部に設けられたサッシ枠２の室内側にアングル部３が形成されると共に、該アングル部の上端部に突出縁４が形成されてなるサッシ枠２に取り付けるサッシ見切材１において、突出縁４を覆う上段平面部５と、該上段平面部の外側に段差を有してなる下段平面部６と、上段平面部５の途中から下方に垂設された垂下片７と、該垂下片の下端に外側に向けて突出された係止片８とが形成され、該係止片をアングル部３と仕上げ材９との隙間１０に上方から挿入した後、サッシ見切材１を外方へずらすことによって、前記係止片８でサッシ枠２のアングル部３の下端を係止するようにした。【選択図】図２
2007277980.tif 000002
【特許請求の範囲】
【請求項１】
建物の開口部に設けられたサッシ枠の室内側にアングル部が形成されると共に、該アングル部の上端部に突出縁が形成されてなるサッシ枠に取り付けるサッシ見切材において、前記突出縁を覆う上段平面部と、該上段平面部の外側に段差を有してなる下段平面部と、前記上段平面部の途中から下方に垂設された垂下片と、該垂下片の下端に外側に向けて突出された係止片とが形成され、該係止片を前記アングル部と前記仕上げ材との隙間に上方から挿入した後、前記サッシ見切材を外方へずらすことによって、前記係止片で前記サッシ枠のアングル部の下端を係止するようにしたことを特徴とするサッシ見切材。
【請求項２】
前記サッシ見切材の上段平面部の下面端部付近に軟質部材を固定することにより、該軟質部材が前記仕上げ材の縁部に当接した際の消音効果を発揮するようにしたことを特徴とする請求項１記載のサッシ見切材。
【請求項３】
前記下段平面部には所定間隔をあけてネジ穴が形成され、前記係止片で前記サッシ枠のアングル部の下端を係止した状態にして、前記下段平面部のネジ穴から螺入したネジを前記サッシ枠のアングル部に設けたネジ穴に螺締するようにしたことを特徴とする請求項１又は２記載のサッシ見切材。
【発明の詳細な説明】
【技術分野】
【０００１】
本発明は、建物の開口部に設けられたサッシ枠と建物の内側の下地材との間に取り付けられるサッシ見切材に関する。
【背景技術】
【０００２】
従来から、建物の開口部に設けられたサッシ枠には、該サッシ枠の取り付け施工を容易にするため、建物の内側に向けてアングル部が形成されている。また、このアングル部の端部には微小高さの突出縁が形成され、サッシ側に発生した結露が建物の内部に浸入しないようにしている。
【０００３】
ところで、このようなサッシ枠のアングル部に形成された突出縁は上方に突出しているため、バリアフリーのためにはこの段差を解消することが望ましい。また、サッシ枠のアングル部と床仕上げ材との間に生じた隙間を埋めることも必要である。
【０００４】
そこで、従来のサッシ見切材の例として特許文献１を参照すると、図５に示すように、この文献のサッシ見切材２４は、建物の躯体の開口部２０に、室内側に突出するサッシ枠固定アングル２１と床下張り材２２間に樹脂製のスペーサ２３を介装して固定し、このスペーサ２３に連接させて床見切り材２４を配置固定する。床見切り材２４はベース部材２５とキャップ部材２６とから成り、ベース部材２５に形成された係合凹部２５ａ、２５ｂにキャップ部材２６に形成された係合片２６ａ、２６ｂを挿入して係合し、このような床見切り材２４のベース部材２５を床仕上げ材２９とスペーサ２３との間に隙間なく当接させる。このような構造によれば、サッシ枠固定アングル２１の突条縁２７による段差は、キャップ部材２６によって解消される。
【特許文献１】特開２００５−３２０８００号公報
【発明の開示】
【発明が解決しようとする課題】
【０００５】
ところが、上記の構成においては、スペーサ２３と床仕上げ材２９との間にベース部材２５が隙間なく敷設されているため、床仕上げ材２９に伸縮が生じた場合、その伸縮を吸収する余地が皆無であり、このため床仕上げ材２９が変形するおそれがある。また、そのようなベース部材２５とスペーサ１３とを固定する作業に手間を要するという不都合があった。
【０００６】
本発明は、上記の事情に鑑みてなされたもので、建築物の開口に設けられるサッシ枠のアングル部に取替え可能に取付けることにより、サッシ枠のアングル部と床仕上げ材との隙間を埋めると共に、アングル部の室内側端部に形成された突出縁による段差を簡単な施工方法で解消するようにしたサッシ見切材を提供することを目的とする。
【課題を解決するための手段】
【０００７】
上記の目的を達成するために、本発明における請求項１のサッシ見切材は、建物の開口部に設けられたサッシ枠の室内側にアングル部が形成されると共に、該アングル部の上端部に突出縁が形成されてなるサッシ枠に取り付けるサッシ見切材において、前記突出縁を覆う上段平面部と、該上段平面部の外側に段差を有してなる下段平面部と、前記上段平面部の途中から下方に垂設された垂下片と、該垂下片の下端に外側に向けて突出された係止片とが形成され、該係止片を前記アングル部と前記仕上げ材との隙間に上方から挿入した後、前記サッシ見切材を外方へずらすことによって、前記係止片で前記サッシ枠のアングル部の下端を係止するようにしたことを特徴とする。
【０００８】
また、本発明における請求項２のサッシ見切材は、請求項１において、前記サッシ見切材の上段平面部の下面端部付近に軟質部材を固定することにより、該軟質部材が前記仕上げ材の縁部に当接した際の消音効果を発揮するようにしたことを特徴とする。
【０００９】
また、本発明における請求項３のサッシ見切材は、請求項１又は２において、前記下段平面部は所定間隔をあけてネジ穴が形成され、前記係止片で前記サッシ枠のアングル部の下端を係止した状態にして、前記下段平面部のネジ穴から螺入したネジを前記サッシ枠のアングル部に設けたネジ穴に螺締するようにしたことを特徴とする。
【発明の効果】
【００１０】
以上説明した本発明のサッシ見切材は、アングル部に直接嵌め込む構造としてあるため、従来のサッシ下枠（特許文献１のスペーサ２３に相当するもの）やサッシ見切材を取り付けるための部材（特許文献１のベース部材２５に相当するもの）が不用であり、その分、コストが安く、施工等の手間を省くことができる。また、本発明のサッシ見切材を取り付けるには、係止片をアングル部と仕上げ材との隙間に上方から挿入した後、外方へずらすだけで取り付けられ、非常に簡単な作業となる。
【００１１】
また、サッシ見切材の下段平面部のネジ穴から螺入したネジをサッシ枠のアングル部に設けたネジ穴に螺締することによって、サッシ見切材は堅固に固定された状態となる。このサッシ見切材を交換する際には、ネジを外して、サッシ見切材を逆方向にずらすだけで取り外すことが可能である。
【００１２】
上記のようにサッシ枠のアングル部に取り付けたサッシ見切材は、サッシ枠のアングル部と室内側の仕上げ材との隙間を簡単な施工方法で埋めることができ、アングル部の突出縁による段差を解消して、バリアフリーに適するサッシ見切材として最適するものである。また、サッシ見切材の上段平面部と下段平面部との間に備えた段差は、サッシ枠に生じた結露水が室内側へ浸入するのを防止するのに有用である。さらに、サッシ見切材の上段平面部の下面端部付近に固定した軟質部材により、該軟質部材が仕上げ材の縁部に当接した際の消音効果を発揮することができる。
【発明を実施するための最良の形態】
【００１３】
以下、本発明の実施例について図面を参照しながら説明する。
【実施例１】
【００１４】
本実施例のサッシ見切材１は、図２又は図３に示すように、建物の開口部に設けられたサッシ枠２の室内側にアングル部３が形成されると共に、該アングル部３の端部に突出縁４が形成されてなるサッシ枠２に取り付けるサッシ見切材１であって、突出縁４を覆う上段平面部５と、該上段平面部５の外側縁部に段差１４を有してアングル部３の上面に載置されるように形成された下段平面部６と、上段平面部５の途中から下方に垂設された垂下片７の下端に外側に向けて突出した係止片８とが形成され、該係止片８はアングル部３と仕上げ材９との隙間１０に上方から挿入される幅を有し、該係止片８は外方へずらすことによってアングル部３の下端４ａを係止するようにしたものである。
【００１５】
このようなサッシ見切材１は、図２に示すように、サッシ枠２と床受け下地材１１の上面に固定した仕上げ材９（床用仕上げ材９ａ）との間に設ける場合であっても、図３に示すように、サッシ枠２と壁用又は仕上げ材９（天井用仕上げ材９ｂ）との間に設ける場合であっても同様に、図１に示す構造を有するものである。
【００１６】
即ち、図１に示すように、サッシ見切材１は長尺の部材であって、合成樹脂等により作成することができ、上段平面部５と、該上段平面部５の外側縁部に段差１４を有して平面状に形成された下段平面部６と、上段平面部５の途中から下方に垂設された垂下片７と、該垂下片７の下端に外側に向けて突出された係止片８とを有してなり、下段平面部６には所定幅をあけて複数のネジ穴１２が形成されたものである。また、上段平面部５の下面端部付近に軟質部材５ｃが固定されたことにより、当該部位が仕上げ材９（図２参照）の上面等に当った際の消音効果を発揮するようにしている。
【００１７】
また、上記のサッシ見切材１において、上段平面部５の先端部上縁にアール５ａを設けることによって面取りされているため、床用仕上げ材９ａに対して段差をなす上段平面部５の上縁部に角部がなくなり、歩行者等の足裏が当った際にも痛みを感じることがなく、また車椅子で乗り越える際にもスムーズに移動することが可能となる。
【００１８】
なお、不図示であるが、上段平面部５の外側縁部５ｂ（図１参照）にもアールを設けることによって角部をなくした形状とすることにより、上記と同様に、歩行者等の足裏に優しい感触を与え、また車椅子の通過をスムーズに行うことができ、しかも段差の高さは保有しているため、結露水の浸入を防止することも可能である。
【００１９】
このようなサッシ見切材１を、例えばサッシ枠２と床用仕上げ材９ａとの間に取り付ける場合、図４(ａ)に示すように、サッシ枠２のアングル部３と床用仕上げ材９ａとの隙間１０に向けて、サッシ見切材１の垂下片７を挿入する。このとき、垂下片７の下端に設けられた係止片８の幅はサッシ枠２と床用仕上げ材９ａとの隙間１０に挿通し得るものであり、図４(ｂ)に示すように、垂下片７が隙間１０の最下端まで到達した状態からサッシ見切材１の全体を外方にずらすと、係止片８がアングル部３の内側下端４ａに係止された状態となる。
【００２０】
また、上記のような取り付け状態で、図４(ｃ)に示すように、下段平面部６に形成したネジ穴１２からネジ１３を螺入してアングル部３に形成されたネジ穴３ａに螺締すると、下段平面部６がアングル部３の上面に接触した状態で固定され、上段平面部５の端部下面付近の軟質部材５ｃが床用仕上げ材９ａの端部上縁に係止されたことによって、消音効果を発揮すると共に、サッシ見切材１の上段平面部５がアングル部３の突出縁４を覆った状態でサッシ枠２のアングル部３と床用仕上げ材９ａとの隙間１０を完全に閉塞することが可能となる。
【００２１】
また、サッシ見切材１における上段平面部５と下段平面部６とに段差１４が存在することによって、下段平面部６に結露水が生じた場合でも、結露水が室内側へ浸入することから防止される。
【００２２】
さらに、図２において、上段平面部５と下段平面部６との段差１４の高さＨ１と、上段平面部５の高さＨ２とを夫々３mm以内にするのが好ましい。こうすることによって、バリアフリーに要求される段差の規定値をクリアすることができる。
【００２３】
図３に示すサッシ見切材１は、サッシ枠２と壁用又は天井用仕上げ材９ｂとの間に設けた例を示すものであり、この場合の仕上げ材９は壁用コンクリート１５に断熱材１６及び接着材１７を介して固定されたボードである。この場合も、上記同様の構成及び効果を有するサッシ見切材１として使用することが可能である。
【産業上の利用可能性】
【００２４】
本発明のサッシ見切材は、建築物の開口に設けられるサッシ枠のアングル部に取替え可能に取付けることができ、サッシ枠のアングル部と床仕上げ材との隙間を埋めると共に、アングル部の室内側端部に形成された突出縁による段差を簡単な施工方法で解消し、さらには室内側に結露水が浸入することを防止し得るサッシ見切材として利用可能である。
【図面の簡単な説明】
【００２５】
【図１】本発明によるサッシ見切材の端部付近の斜視図である。
【図２】本発明によるサッシ見切材をサッシ枠のアングル部と床用仕上げ材との間に設けた状況を示す要部断面図である。
【図３】本発明によるサッシ見切材をサッシ枠のアングル部と壁用又は天井用仕上げ材との間に設けた状況を示す要部断面図である。
【図４】（ａ）〜(ｃ)は、本発明によるサッシ見切材の取付け手順を示す要部断面図である。
【図５】特許文献１に係るサッシ見切材周辺の断面図である。
【符号の説明】
【００２６】
１  サッシ見切材
２  サッシ枠
３  アングル部
３ａ  アングル部のネジ穴
４  突出縁
４ａ  下端
５  上段平面部
５ａ  アール
５ｂ  外側縁部
５ｃ  軟質部材
６  下段平面部
７  垂下片
８  係止片
９  仕上げ材
９ａ  床用仕上げ材
９ｂ  壁用又は天井用仕上げ材
１０  隙間
１１  床受け下地材
１２  下段平面部のネジ穴
１３  ネジ
１４  段差
１５  壁用コンクリート
１６  断熱材
１７  接着材
１８  ボード
１９  空間
Ｈ１  段差の高さ
Ｈ２  上段平面部の高さ
【図１】
2007277980.tif 000003
【図２】
2007277980.tif 000004
【図３】
2007277980.tif 000005
【図４】
2007277980.tif 000006
【図５】
2007277980.tif 000007